(57)【特許請求の範囲】
【請求項１】
ガンマイクを覆う第１の被覆体であって長尺な形状を有しかつ音響透過材料を含む第１の被覆体と、
前記第１の被覆体を覆う第２の被覆体であって、前記第１の被覆体から離隔した位置に配置され、長尺な形状を有しかつ音響透過材料を含み、前記第１の被覆体との間に第１の空間を画定する第２の被覆体と、
前記第２の被覆体を覆う第３の被覆体であって、前記第２の被覆体から離隔した位置に配置され、長尺な形状を有しかつ音響透過材料を含み、前記第２の被覆体との間に第２の空間を画定する第３の被覆体と、
前記第１の被覆体及び前記第２の被覆体を弾性的に保持する弾性保持部と、を備え、
前記音響透過材料は、繊維を含んで構成される原料を互いに交絡することによって得られる繊維材料を含み、接触した空気の一部を妨げるとともに残りを通過させ、
前記第２の空間において、前記第２の空間に流入した空気が前記第２の被覆体の長手方向に沿って移動する第２の長手流路が形成され、
前記第１の空間において、前記第１の空間に流入した空気が前記第１の被覆体の長手方向に沿って移動する第１の長手流路が形成されるガンマイク用風防。
【請求項２】
前記弾性保持部に設けられ、
前記第１の被覆体及び前記第２の被覆体を係止して形状を保持し、
前記第１の被覆体と前記第２の被覆体との間隔を保つ定形保持部、をさらに備える請求項１に記載のガンマイク用風防。
【請求項３】
前記第１の被覆体は、前記ガンマイクを収納して保持するガンマイク保持部を有する請求項１又は２に記載のガンマイク用風防。
【請求項４】
長尺な形状を有するとともに前記第３の被覆体を覆って保護する第４の被覆体であって、音を透過させる透音口を有する第４の被覆体をさらに備える請求項１ないし３のいずれかに記載のガンマイク用風防。
【請求項５】
使用者によって支持されることができ、前記第４の被覆体を介して前記弾性保持部と着脱可能に連結される把持部を、さらに備える請求項４に記載のガンマイク用風防。
【請求項６】
前記第４の被覆体と前記把持部との間に設けられ前記第４の被覆体を弾性的に保持する把持部弾性保持体を、さらに備える請求項５に記載のガンマイク用風防。
【発明の詳細な説明】
【技術分野】
【０００１】
指向性を有するガンマイクに用いる風防に関する。
【背景技術】
【０００２】
離れた距離から収音するときに、いわゆるガンマイク（ショットガンマイク）を用いることが多い。ガンマイクは、鋭い指向性を有し、周囲の音を打ち消すようにして、ガンマイクを向けた先の音を収音することができるマイクロホンである。
【０００３】
一般に、ガンマイクは、細長い長尺な円柱状の形状の干渉管を有する。ガンマイクの側面に位置する音源から発せられた音を干渉管の内側で干渉して打ち消すことで、ガンマイクを向けた先の音を主に収音することができる。
【０００４】
上述したように、ガンマイクは長尺な形状の干渉管を有する。このため、ガンマイクを使って風切音などの風雑音が収音されるような場合には、干渉管を含むガンマイクの全体を風防で覆う必要がある。
【０００５】
従来の風防の一つとして、略円筒状のスポンジの内径側に繊維を植毛した風防がある。この風防は、植毛した繊維によって、長尺な形状を有するマイクロホンから抜けにくくしようとしたものであった（例えば、特許文献１参照）。
【０００６】
また、ケージ状のフレームを有する風防もある。ケージ状のフレームによって長尺な形状を有するマイクロホンとの間に空間を形成するとともに、風防をフレームで支持するものであった（例えば、特許文献２参照）。
【０００７】
さらにまた、連続気泡の弾性体からなる風防であり、弾性体の内周面にすべり案内部材を設けたものである。すべり案内部材を設けたことで、長尺な形状を有するマイクロホンとの着脱性を高めようとするものであった（例えば、特許文献３参照）。
【先行技術文献】
【特許文献】
【０００８】
【特許文献１】特開２００６−６０４７９号公報
【特許文献２】特開２０１２−１７５３７９号公報
【特許文献３】特開２００８−１８７３１２号公報
【発明の概要】
【発明が解決しようとする課題】
【０００９】
上述したように、各種の風防が考案されている。しかしながら、スポンジなどの連続気泡の弾性体からなる風防は、使用当初では風雑音を低下させることができた場合でも、雨などの湿気により徐々に経年変化を起こし、特性を維持することが困難であった。
【００１０】
本発明は、上述の点に鑑みてなされたものであり、その目的とするところは、長尺な形状のガンマイクに取り付けることができるガンマイク用風防であり、ガンマイクに装着して使用した場合でも風切音などの風雑音を的確に遮断できるガンマイク用風防を提供することにある。
【課題を解決するための手段】
【００１１】
本発明によるガンマイク用風防の実施態様は、
ガンマイクを覆う第１の被覆体であって長尺な形状を有しかつ音響透過材料を含む第１の被覆体と、
前記第１の被覆体を覆う第２の被覆体であって、前記第１の被覆体から離隔した位置に配置され、長尺な形状を有しかつ音響透過材料を含み、前記第１の被覆体との間に第１の空間を画定する第２の被覆体と、
前記第２の被覆体を覆う第３の被覆体であって、前記第２の被覆体から離隔した位置に配置され、長尺な形状を有しかつ音響透過材料を含み、前記第２の被覆体との間に第２の空間を画定する第３の被覆体と、
前記第１の被覆体及び前記第２の被覆体を弾性的に保持する弾性保持部と、を備え、
前記音響透過材料は、繊維を含んで構成される原料を互いに交絡することによって得られる繊維材料を含み、接触した空気の一部を妨げるとともに残りを通過させ、
前記第２の空間において、前記第２の空間に流入した空気が前記第２の被覆体の長手方向に沿って移動する第２の長手流路が形成され、
前記第１の空間において、前記第１の空間に流入した空気が前記第１の被覆体の長手方向に沿って移動する第１の長手流路が形成されることである。
【００１２】
音響透過材料は、繊維を含んで構成される原料を互いに交絡することによって得られる繊維材料を含むので、長期間に亘って経年変化を生じさせないようにできる。
【００１３】
また、第２の空間では、第２の空間に流入した空気を第２の被覆体の長手方向に沿って移動する第２の長手流路が形成される。このため、第２の空間に流入した空気は、長手方向に移動するので、第２の空間から漏れて第１の空間に入り込みにくくできる。
【００１４】
さらに、第１の空間では、第１の空間に流入した空気を第１の被覆体の長手方向に沿って移動する第１の長手流路が形成される。このため、第１の空間に流入した空気も、長手方向に移動するので、第１の空間から漏れてガンマイクに入り込みにくくでき、的確に風切音を遮断できる。
【発明の効果】
【００１５】
長期間に亘って使用しても的確に風切音を遮断できる。
【図面の簡単な説明】
【００１６】
【図１】本実施の形態によるガンマイク用風防１００の概要を示す概要図である。図１Ａは、ガンマイク用風防１００の断面図であり、図１Ｂは、ガンマイク用風防１００の長手方向に沿って移動する空気の流れを示す断面図であり、図１Ｃは、ガンマイク用風防１００の周方向に沿って移動する空気の流れを示す断面図である。
【図２】ガンマイク用風防１００の全体を示す斜視図である。
【図３】ガンマイク用風防１００に収納される第１の音響透過体１１０と第２の音響透過体１２０と第３の音響透過体１３０と弾性発泡体１４０とバスケット１５０とガンマイク３００とを示す斜視図である。
【図４】ガンマイク用風防１００の構成を周方向で切断して示す断面図である。
【図５】ガンマイク用風防１００の構成を長手方向で切断して示す断面図である。
【図６】第１の空間ＳＰ１０及び第２の空間ＳＰ２０で、長手方向に流動する空気の流れを示す断面図（Ａ）と、周方向に流動する空気の流れを示す断面図（Ｂ）とである。
【図７】ガンマイク用風防２００に収納される第１の音響透過体１１０と第２の音響透過体１２０と第３の音響透過体１３０とバスケット１５０とガンマイク３００とを示す斜視図である。
【図８】ガンマイク用風防２００の構成を周方向で切断して示す断面図である。
【図９】ガンマイク用風防２００の構成を長手方向で切断して示す断面図である。
【図１０】第１の音響透過体１１０における長手方向に沿って移動する成分ＬＰ１０及び周方向に沿って移動する成分ＡＰ１０と、第２の音響透過体１２０における長手方向に沿って移動する成分ＬＰ２０及び周方向に沿って移動する成分ＡＰ２０とを示す概略図である。
【図１１】バスケット１５０と把持防振構造体４００とを示す側面図である。
【図１２】バスケット１５０と把持防振構造体４００とを示す斜視図である。
【図１３】把持部４１０の構造を示す拡大側面図である。
【図１４】把持防振構造体４００の全体を示す斜視図である。
【図１５】第１の音響透過体１１０及び第２の音響透過体１２０を弾性保持体４３４に取り付けた状態を示す正面図である。
【図１６】第１の音響透過体１１０を弾性保持体４３４に取り付けた状態を示す斜視図である。
【図１７】バスケット１５０の端部を示す斜視図である。
【発明を実施するための形態】
【００１７】
以下に、実施の形態について図面に基づいて説明する。図１は、本発明の第１の実施態様の概略を示す図である。図１Ａは、ガンマイク用風防１００の断面図であり、図１Ｂは、ガンマイク用風防１００の長手方向に沿って移動する空気の流れを示す断面図であり、図１Ｃは、ガンマイク用風防１００の周方向に沿って移動する空気の流れを示す断面図である。
【００１８】
＜第１の実施態様＞
図１Ａ、図１Ｂ、図１Ｃに示すように、本発明の第１の実施態様によれば、
ガンマイク３０（例えば、後述するガンマイク３００など）を覆う第１の被覆体１１であって長尺な形状を有しかつ音響透過材料を含む第１の被覆体１１（例えば、後述する第１の音響透過体１１０など）と、
前記第１の被覆体１１を覆う第２の被覆体１２であって、前記第１の被覆体１１から離隔した位置に配置され、長尺な形状を有しかつ音響透過材料を含み、前記第１の被覆体１１との間に第１の空間ＳＰ１（例えば、後述する第１の空間ＳＰ１０など）を画定する第２の被覆体１２（例えば、後述する第２の音響透過体１２０など）と、
前記第２の被覆体１２を覆う第３の被覆体１３であって、前記第２の被覆体１２から離隔した位置に配置され、長尺な形状を有しかつ音響透過材料を含み、前記第２の被覆体１２との間に第２の空間ＳＰ２（例えば、後述する第２の空間ＳＰ２０など）を画定する第３の被覆体１３（例えば、後述する第３の音響透過体１３０など）と、を備え、
前記音響透過材料は、繊維を含んで構成される原料を互いに交絡することによって得られる繊維材料を含み、接触した空気の一部を妨げるとともに残りを通過させ、
前記第２の空間ＳＰ２において、前記第２の空間ＳＰ２に流入した空気を前記第２の被覆体１２の長手方向に沿って移動する第２の長手流路ＬＰ２（例えば、後述する長手方向に沿って移動する成分ＬＰ２０など）が形成され、
前記第１の空間ＳＰ１において、前記第１の空間ＳＰ１に流入した空気を前記第１の被覆体１１の長手方向に沿って移動する第１の長手流路ＬＰ１（例えば、後述する長手方向に沿って移動する成分ＬＰ１０など）が形成されるガンマイク用風防１０が提供される。
【００１９】
＜ガンマイク用風防１０及びガンマイク３０＞
ガンマイク用風防１０は、ガンマイク３０を覆うための風防である。ガンマイク３０は、指向性を有し、所望する音源から発せられた音を収音するためのマイクロホンである。ガンマイク３０は、干渉管などを有し、一般的に長尺な形状を有する。ガンマイク用風防１０は、第１の被覆体１１と第２の被覆体１２と第３の被覆体１３とを含む。
【００２０】
＜音響透過材料＞
第１の被覆体１１と第２の被覆体１２と第３の被覆体１３とは、いずれも、音響透過材料を含む。音響透過材料は繊維材料を含む。繊維材料は、繊維を含んで構成される原料を互いに交絡することによって得られる。音響透過材料は、接触した空気の一部を妨げるとともに残りを通過させる。
【００２１】
第１の被覆体１１と第２の被覆体１２と第３の被覆体１３とに用いる音響透過材料は、各々が同じ材料でも異なる材料でもよい。また、材料が同じでも、密度や交絡の態様など材質が異なるものでもよい。風切音を的確に遮断して、所望する音源から発せられた音を収音できるように、音響透過材料の材料や材質を定めればよい。
【００２２】
第１の被覆体１１と第２の被覆体１２と第３の被覆体１３とに音響透過材料を用いることにより、長期間に亘って経年変化を生じさせないようにできる。
【００２３】
＜第１の被覆体１１と第２の被覆体１２と第３の被覆体１３の外形＞
また、第１の被覆体１１と第２の被覆体１２と第３の被覆体１３とは、長尺な形状を有する。第１の被覆体１１と第２の被覆体１２と第３の被覆体１３の形状は、長尺な形状を有するガンマイク３０の形状に応じて定めることができる。
【００２４】
第１の被覆体１１と第２の被覆体１２と第３の被覆体１３とは、略円筒状の形状を有するのが望ましい。さらに、第１の被覆体１１と第２の被覆体１２と第３の被覆体１３とは、略円筒状の形状だけでなく、角筒状や楕円筒状などの各種の筒状の形状にすることができる。
【００２５】
第１の被覆体１１と第２の被覆体１２と第３の被覆体１３との長手方向に沿った長さが、全て同じであるのが好ましい。この場合には、後述する第１の空間ＳＰ１の長手方向に沿った長さと、第２の空間ＳＰ２の長手方向に沿った長さとが同じになる。第１の空間ＳＰ１における空気の流れと、第２の空間ＳＰ２における空気の流れとを分離でき、それぞれの空気の流れを別個に制御することができる。
【００２６】
また、第１の被覆体１１と第２の被覆体１２と第３の被覆体１３との長手方向に沿った長さが異なっていてもよい。例えば、第２の被覆体１２の長手方向に沿った長さが、第１の被覆体１１及び第３の被覆体１３の長手方向に沿った長さよりも短い場合には、第１の被覆体１１及び第３の被覆体１３の端部の近くの領域で第１の空間ＳＰ１と第２の空間ＳＰ２との境が消失し、第１の被覆体１１及び第３の被覆体１３によって挟まれ第２の被覆体１２が存在しない空間が形成される。この場合には、第１の空間ＳＰ１と第２の空間ＳＰ２との空気は、第２の被覆体１２が存在しない空間を介して直接に移動することができる。このように、第１の被覆体１１と第２の被覆体１２と第３の被覆体１３との長手方向に沿った長さが異なっている場合には、空気を容易に移動させやすくできる。
【００２７】
＜第１の被覆体１１＞
第１の被覆体１１は、ガンマイク３０を覆う。ガンマイク３０は、一般的に長尺な形状を有し、干渉用の開口が長手方向に沿って形成されている。第１の被覆体１１は、干渉用の開口の少なくとも一部と被さるようにガンマイク３０を覆えばよい。第１の被覆体１１が干渉用の開口の全体と被さるようにガンマイク３０を覆うのが好ましい。
【００２８】
第１の被覆体１１の長手方向の長さが、ガンマイク３０の長手方向の長さよりも長いものが好ましい。第１の被覆体１１は、ガンマイク３０に接続されるケーブルなどを除き、ガンマイク３０の全体を収納するようにガンマイク３０を覆うのがより好ましい。さらに、第１の被覆体１１は、ガンマイク３０と同心状（同軸状）に配置されてガンマイク３０の全体を覆うのが望ましい。
【００２９】
＜第２の被覆体１２＞
第２の被覆体１２は第１の被覆体１１を覆う。第２の被覆体１２は、第１の被覆体１１の全体を収納して第１の被覆体１１を覆うのが好ましい。風切音を遮断できれば、第２の被覆体１２は、第１の被覆体１１の一部を覆う構成でもよい。
【００３０】
さらに、第２の被覆体１２の長手方向の長さが、第１の被覆体１１の長手方向の長さと同じであるものがより好ましい。第２の被覆体１２は、第１の被覆体１１の長手方向に沿って同心状（同軸状）に配置されて第１の被覆体１１の全体を収納するように覆うのが望ましい。
【００３１】
第２の被覆体１２は、第１の被覆体１１から離隔した位置に配置される。第１の被覆体１１と第２の被覆体１２との間の間隙によって第１の空間ＳＰ１が形成される。第１の被覆体１１と第２の被覆体１２との間隔ＤＴ１は一定でなくてよい。第１の被覆体１１と第２の被覆体１２との間に第１の空間ＳＰ１を形成して空気を第１の被覆体１１の内側に漏れにくくすることで風切音を遮断できればよい。第２の被覆体１２を第１の被覆体１１と同心状（同軸状）に配置することで間隔ＤＴ１を一定にすることができる。第１の被覆体１１と第２の被覆体１２との間隔ＤＴ１を一定にすることで第１の空間ＳＰ１に入り込んだ空気を均等に分散させることができる、
【００３２】
＜第３の被覆体１３＞
第３の被覆体１３は第２の被覆体１２を覆う。第３の被覆体１３は、第２の被覆体１２の全体を収納して第２の被覆体１２を覆うのが好ましい。風切音を遮断できれば、第３の被覆体１３は、第２の被覆体１２の一部を覆う構成でもよい。
【００３３】
さらに、第３の被覆体１３の長手方向の長さが、第２の被覆体１２の長手方向の長さと同じであるものがより好ましい。第３の被覆体１３は、第２の被覆体１２の長手方向に沿って同心状（同軸状）に配置されて第２の被覆体１２の全体を収納するように覆うのが望ましい。
【００３４】
第３の被覆体１３は、第２の被覆体１２から離隔した位置に配置される。第２の被覆体１２と第３の被覆体１３との間の間隙によって第２の空間ＳＰ２が形成される。第２の被覆体１２と第３の被覆体１３との間隔ＤＴ２は一定でなくてよい。第２の被覆体１２と第３の被覆体１３との間に第２の空間ＳＰ２を形成して空気を第２の被覆体１２の内側に漏れにくくすることで風切音を遮断できればよい。第３の被覆体１３を第２の被覆体１２と同心状（同軸状）に配置することで間隔ＤＴ２を一定にすることができる。第２の被覆体１２と第３の被覆体１３との間隔ＤＴ２を一定にすることで第２の空間ＳＰ２に入り込んだ空気を均等に分散させることができる、
【００３５】
＜第２の長手流路ＬＰ２＞
図１Ｂに示すように、第２の空間ＳＰ２では、第２の長手流路ＬＰ２が形成される。第２の長手流路ＬＰ２は、第２の空間ＳＰ２に流入した空気が第２の被覆体１２の長手方向に沿って移動する経路である。
【００３６】
第２の空間ＳＰ２は、第２の被覆体１２と第３の被覆体１３との間に形成された空間である。第２の被覆体１２及び第３の被覆体１３は長尺な形状を有し、第２の空間ＳＰ２も長尺な形状を有する。第２の空間ＳＰ２は、第２の空間ＳＰ２の長手方向への空気の移動を容易にするための領域として機能する。第２の空間ＳＰ２に流入した空気は、第２の被覆体１２との接触や第３の被覆体１３との接触によって案内され、第２の空間ＳＰ２内を長手方向に沿って移動する。この空気の移動の経路が、第２の長手流路ＬＰ２である。
【００３７】
第２の長手流路ＬＰ２は、常に第２の空間ＳＰ２の長手方向に沿っている必要はなく、長手方向に沿った経路が含まれていればよい。例えば、第２の被覆体１２や第３の被覆体１３に向かって移動する経路や第２の空間ＳＰ２内を蛇行する経路が含まれていても長手方向に沿った移動が含まれていればよい。
【００３８】
また、第２の長手流路ＬＰ２の長さは、短くてもよい。第２の長手流路ＬＰ２が、第２の空間ＳＰ２の端部まで到達する必要はない。空気が第２の空間ＳＰ２の長手方向に沿って移動する部分が含まれていればよい。
【００３９】
＜第１の長手流路ＬＰ１＞
図１Ｂに示すように、第１の空間ＳＰ１では、第１の長手流路ＬＰ１が形成される。第１の長手流路ＬＰ１は、第１の空間ＳＰ１に流入した空気が第１の被覆体１１の長手方向に沿って移動する経路である。
【００４０】
第１の空間ＳＰ１は、第１の被覆体１１と第２の被覆体１２との間に形成された空間である。第１の被覆体１１及び第２の被覆体１２は長尺な形状を有し、第１の空間ＳＰ１も長尺な形状を有する。第１の空間ＳＰ１は、第１の空間ＳＰ１の長手方向への空気の移動を容易にするための領域として機能する。第１の空間ＳＰ１に流入した空気は、第１の被覆体１１と第２の被覆体１２との接触によって案内され、第１の空間ＳＰ１内を長手方向に沿って移動する。この空気の移動の経路が、第１の長手流路ＬＰ１である。
【００４１】
第１の長手流路ＬＰ１は、常に第１の空間ＳＰ１の長手方向に沿っている必要はなく、長手方向に沿った経路が含まれていればよい。例えば、第１の被覆体１１や第２の被覆体１２に向かって移動する経路や第１の空間ＳＰ１内を蛇行する経路が含まれていても長手方向に沿った移動が含まれていればよい。
【００４２】
また、第１の長手流路ＬＰ１の長さは、短くてもよい。第１の長手流路ＬＰ１が、第１の空間ＳＰ１の端部まで到達する必要はない。空気が第１の空間ＳＰ１の長手方向に沿って移動する部分が含まれていればよい。
【００４３】
＜空気の流れ＞
屋外などでガンマイク用風防１００を使用した場合には、風などの空気の流れによってガンマイク用風防１００に空気が触れる。具体的には、第３の被覆体１３に空気が接触する。第３の被覆体１３は音響透過材料を有し、音響透過材料は、接触した空気の一部を妨げるとともに残りを通過させる。第３の被覆体１３を通過した空気は、第２の空間ＳＰ２に入り込む。第２の空間ＳＰ２に入り込んだ空気は、第２の被覆体１２との接触や第３の被覆体１３との接触によって案内され、第２の空間ＳＰ２内を長手方向に沿って移動する。この空気の移動によって、第２の長手流路ＬＰ２が形成される。
【００４４】
このように、第３の被覆体１３に接触した空気のうち、一部は妨げられ残りは通過する。このため、第３の被覆体１３に接触した空気のうちの一部のみが通過し、第３の被覆体１３によって、第２の空間ＳＰ２に入り込む空気の量を減らしたり勢いを抑えたりすることができる。さらに、第２の空間ＳＰ２に入り込んだ空気は、第２の被覆体１２との接触や第３の被覆体１３との接触によって徐々に減速し、空気の勢いを抑えることができる。
【００４５】
第２の被覆体１２は、音響透過材料を有し、音響透過材料は、接触した空気の一部を妨げるとともに残りを通過させる。第２の空間ＳＰ２に入り込んだ空気の量や勢いによっては、第２の被覆体１２を通過する空気も存在する。
【００４６】
第２の被覆体１２を通過した空気は、第１の空間ＳＰ１に入り込む。第１の空間ＳＰ１に入り込んだ空気は、第１の被覆体１１との接触や第２の被覆体１２との接触によって案内され、第１の空間ＳＰ１内を長手方向に沿って移動する。この空気の移動によって、第１の長手流路ＬＰ１が形成される。
【００４７】
このように、第２の被覆体１２に接触した空気のうち、一部は妨げられ残りは通過する。このため、第２の被覆体１２に接触した空気のうちの一部のみが通過し、第２の被覆体１２によって、第１の空間ＳＰ１に入り込む空気の量を減らしたり勢いを抑えたりすることができる。さらに、第１の空間ＳＰ１に入り込んだ空気は、第１の被覆体１１との接触や第２の被覆体１２との接触によって徐々に減速し、空気の勢いを抑えることができる。
【００４８】
ガンマイク３０は、第１の被覆体１１によって覆われており、第１の空間ＳＰ１に入り込んだ空気が存在しても、第１の被覆体１１により空気の通過が妨げられ、風切音を的確に遮断できる。
【００４９】
屋外などでガンマイク用風防１００を使用した場合でも、第２の空間ＳＰ２及び第１の空間ＳＰ１によって、徐々に空気の量を減らしたり勢いを抑えたりすることができ、ガンマイク３０への空気の通過を妨げ、風切音を的確に遮断できる。
【００５０】
＜第２の実施態様＞
＜弾性発泡体＞
本発明の第２の実施態様は、本発明の第１の実施態様において、
連続気泡を有する弾性発泡体（例えば、後述する弾性発泡体１４０など）が、前記第１の空間ＳＰ１又は前記第２の空間ＳＰ２の少なくとも一部に設けられるように構成される。
【００５１】
第１の空間ＳＰ１又は第２の空間ＳＰ２の少なくとも一方に弾性発泡体を設けるのが好ましい。弾性発泡体は連続気泡を有する。弾性発泡体は、連続気泡によって空気の流れの向きを制御したり、連続気泡との衝突により空気の流れを妨げて徐々に減速したりできる。このように、弾性発泡体は空気の向きや速度を抑制することができる。
【００５２】
このように、弾性発泡体によって、第１の空間ＳＰ１又は第２の空間ＳＰ２に入り込んだ空気の向きや速度をより抑制することができる。
【００５３】
＜第３の実施態様＞
＜第２の周回流路ＡＰ２＞
図１Ａ、図１Ｂ、図１Ｃに示すように、本発明の第３の実施態様は、本発明の第１の実施態様において、
前記第２の空間ＳＰ２において、前記第３の被覆体を通過して前記第２の空間ＳＰ２に流入した空気を前記第２の被覆体１２の周囲の少なくとも一部に沿って移動する第２の周回流路ＡＰ２（例えば、後述する周方向に沿って移動する成分ＡＰ２０など）が形成されるように構成される。
【００５４】
図１Ｃに示すように、第２の空間ＳＰ２では、第２の周回流路ＡＰ２が形成される。第２の周回流路ＡＰ２は、第２の空間ＳＰ２に流入した空気が第２の被覆体１２を周回する方向に沿って移動する経路である。
【００５５】
第２の空間ＳＰ２は、第２の被覆体１２と第３の被覆体１３との間に形成された空間である。第３の被覆体１３は第２の被覆体１２から離隔した位置に配置され、第２の空間ＳＰ２は、第２の被覆体１２を周回する形状を有する。第２の空間ＳＰ２は、第２の被覆体１２を周回する方向への空気の移動を容易にするための領域として機能する。第２の空間ＳＰ２に流入した空気は、第２の被覆体１２との接触や第３の被覆体１３との接触によって案内され、第２の被覆体１２を周回する方向に沿って移動する。この空気の移動の経路が、第２の周回流路ＡＰ２である。
【００５６】
第２の周回流路ＡＰ２は、常に第２の被覆体１２を周回する方向に沿っている必要はなく、周回する方向に沿った経路が含まれていればよい。例えば、第２の被覆体１２や第３の被覆体１３に向かって移動する経路や第２の空間ＳＰ２内を蛇行する経路が含まれていても周回する方向に沿った移動が含まれていればよい。
【００５７】
また、第２の周回流路ＡＰ２の長さは短くてもよい。第２の周回流路ＡＰ２が、第２の被覆体１２の全体を周回する必要はない。空気が第２の被覆体１２を周回する方向に沿って移動する部分が含まれていればよい。
【００５８】
＜第２の長手流路ＬＰ２及び第２の周回流路ＡＰ２＞
上述したように、第２の空間ＳＰ２では、第２の長手流路ＬＰ２及び第２の周回流路ＡＰ２が形成される。第２の長手流路ＬＰ２及び第２の周回流路ＡＰ２は、第２の空間ＳＰ２を流れる空気の移動方向の成分を意味する。第２の長手流路ＬＰ２は、第２の空間ＳＰ２を流れる空気のうち、第２の被覆体１２の長手方向に沿って移動する成分を意味する。第２の周回流路ＡＰ２は、第２の空間ＳＰ２を流れる空気のうち、第２の被覆体１２を周回する方向に沿って移動する成分を意味する。第２の空間ＳＰ２を流れる空気は、第２の被覆体１２の長手方向に沿って移動する成分と、第２の被覆体１２を周回する方向に沿って移動する成分とを有する。
【００５９】
＜第４の実施態様＞
＜第１の周回流路ＡＰ１＞
図１Ａ、図１Ｂ、図１Ｃに示すように、本発明の第４の実施態様は、本発明の第１の実施態様において、
前記第１の空間ＳＰ１において、前記第２の被覆体１２を通過して前記第１の空間ＳＰ１に流入した空気を前記第１の被覆体１１の周囲の少なくとも一部に沿って移動する第１の周回流路ＡＰ１（例えば、後述する周方向に沿って移動する成分ＡＰ１０など）が形成されるように構成される。
【００６０】
図１Ｃに示すように、第１の空間ＳＰ１では、第１の周回流路ＡＰ１が形成される。第１の周回流路ＡＰ１は、第１の空間ＳＰ１に流入した空気が第１の被覆体１１を周回する方向に沿って移動する経路である。
【００６１】
第１の空間ＳＰ１は、第１の被覆体１１と第２の被覆体１２との間に形成された空間である。第２の被覆体１２は第１の被覆体１１から離隔した位置に配置され、第１の空間ＳＰ１は、第１の被覆体１１を周回する形状を有する。第１の空間ＳＰ１は、第１の被覆体１１を周回する方向への空気の移動を容易にするための領域として機能する。第１の空間ＳＰ１に流入した空気は、第１の被覆体１１と第２の被覆体１２との接触によって案内され、第１の被覆体１１を周回する方向に沿って移動する。この空気の移動の経路が、第１の周回流路ＡＰ１である。
【００６２】
第１の周回流路ＡＰ１は、常に第１の被覆体１１を周回する方向に沿っている必要はなく、周回する方向に沿った経路が含まれていればよい。例えば、第１の被覆体１１や第２の被覆体１２に向かって移動する経路や第１の空間ＳＰ１内を蛇行する経路が含まれていても周回する方向に沿った移動が含まれていればよい。
【００６３】
また、第１の周回流路ＡＰ１の長さは短くてもよい。第１の周回流路ＡＰ１が、第１の被覆体１１の全体を周回する必要はない。空気が第１の被覆体１１を周回する方向に沿って移動する部分が含まれていればよい。
【００６４】
＜第１の長手流路ＬＰ１及び第１の周回流路ＡＰ１＞
上述したように、第１の空間ＳＰ１では、第１の長手流路ＬＰ１及び第１の周回流路ＡｗＰ１が形成される。第１の長手流路ＬＰ１及び第１の周回流路ＡＰ１は、第１の空間ＳＰ１を流れる空気の移動方向の成分を意味する。第１の長手流路ＬＰ１は、第１の空間ＳＰ１を流れる空気のうち、第１の被覆体１１の長手方向に沿って移動する成分を意味する。第１の周回流路ＡＰ１は、第１の空間ＳＰ１を流れる空気のうち、第１の被覆体１１を周回する方向に沿って移動する成分を意味する。第１の空間ＳＰ１を流れる空気は、第１の被覆体１１の長手方向に沿って移動する成分と、第１の被覆体１１を周回する方向に沿って移動する成分とを有する。
【００６５】
＜第５の実施態様＞
＜第１の被覆体１１の長手方向に沿った長さ及び第２の被覆体１２の長手方向に沿った長さ＞
本発明の第５の実施態様は、本発明の第１の実施態様において、
前記第１の被覆体１１及び前記第２の被覆体１２の長手方向に沿った長さは、前記第１の空間ＳＰ１の間隔又は前記第２の空間ＳＰ２の間隔よりも長いように構成される。
【００６６】
前記第１の被覆体１１及び前記第２の被覆体１２の長手方向に沿った長さは、前記第１の空間ＳＰ１の間隔又は前記第２の空間ＳＰ２の間隔よりも長い。
【００６７】
第１の空間ＳＰ１の間隔は、第１の被覆体１１と第２の被覆体１２との間の間隔ＤＴ１である。第１の被覆体１１と第２の被覆体１２とが、円柱状の形状を有し、かつ、同心状（同軸状）に配置されている場合には、第１の空間ＳＰ１の間隔は一定となる。
【００６８】
第１の空間ＳＰ１の間隔が一定でない場合には、特徴的な間隔を用いればよい。たとえば、平均の間隔や、最大の間隔や、最小の間隔などにすればよい。
【００６９】
第２の空間ＳＰ２の間隔は、第２の被覆体１２と第３の被覆体１３との間の間隔ＤＴ２である。第２の被覆体１２と第３の被覆体１３とが、円柱状の形状を有し、かつ、同心状（同軸状）に配置されている場合には、第２の空間ＳＰ２の間隔は一定となる。
【００７０】
第２の空間ＳＰ２の間隔が一定でない場合には、特徴的な間隔を用いればよい。たとえば、平均の間隔や、最大の間隔や、最小の間隔などにすればよい。
【００７１】
第１の被覆体１１及び第２の被覆体１２は、長尺な形状を有する。第１の被覆体１１の長さは、第１の空間ＳＰ１の間隔よりも十分に長くできる。すなわち、第１の空間ＳＰ１の間隔を短くした場合でも、第１の空間ＳＰ１の長手方向の長さを確保でき、第１の空間ＳＰ１は、入り込んだ空気を長手方向に移動させるための領域として機能させることができる。第２の被覆体１２の長さは、第２の空間ＳＰ２の間隔よりも十分に長くできる。すなわち、第２の空間ＳＰ２の間隔を短くした場合でも、第２の空間ＳＰ２の長手方向の長さを確保でき、第２の空間ＳＰ２は、入り込んだ空気を長手方向に移動させるための領域として機能させることができる。
【００７２】
第２の空間ＳＰ２の間隔は、第２の被覆体１２の長手方向の長さ及び第３の被覆体１３の長手方向の長さと、弾性発泡体の有無に応じて、第１の空間ＳＰ１に空気が流れ込みにくい長さにすればよい。
【００７３】
第１の空間ＳＰ１の間隔は、第１の被覆体１１の長手方向の長さ及び第２の被覆体１２の長手方向の長さと、弾性発泡体の有無に応じて、ガンマイク３０に空気が流れ込みにくい長さにすればよい。
【００７４】
＜第６の実施態様＞
長尺な形状を有するとともに前記第３の被覆体を覆って保護する第４の被覆体（例えば、後述するバスケット１５０など）であって、音を透過させる透音口を有する第４の被覆体をさらに備える。
【００７５】
第４の被覆体は、長尺な形状を有し、かつ第３の被覆体を覆って保護する。第３の被覆体の全体を覆うのが好ましい。第４の被覆体には、音を透過させることができる透音口が形成されている。この第４の被覆体によって、第３の被覆体を変形させたり破損させたりしないよう保護することができる。第４の被覆体には、透音口が形成されており、音源から発せられた音を減衰させたり劣化させたりすることなくガンマイク３００に到達させることができる。
【００７６】
＜第７の実施態様＞
前記第１の被覆体１１及び前記第２の被覆体１２を弾性的に保持する弾性保持部（例えば、後述する弾性保持体４３４など）をさらに備える。
【００７７】
弾性保持部は、第１の被覆体１１と第２の被覆体１２とを弾性的に保持する。弾性的に保持することで、外部から衝撃が加えられた場合でも、衝撃を弾性保持部で吸収でき、第１の被覆体１１及び第２の被覆体１２が振動することで衝撃がガンマイク３００に雑音として収音されることを防止できる。なお、本実施の形態では、衝撃は、物理的な衝突によって生ずる衝撃のほか、風によって発生し振動として固体を伝播する音（以下、固体音と称する）も含まれる。固体音は、風雑音として収音される。
【００７８】
＜第８の実施態様＞
前記弾性保持部に設けられ、
前記第１の被覆体１１及び前記第２の被覆体１２を係止して形状を保持し、
前記第１の被覆体１１と前記第２の被覆体１２との間隔（例えば、後述する第１の空間ＳＰ１など）を保つ定形保持部（例えば、後述するブラケット４４０など）、をさらに備える。
【００７９】
定形保持部は、弾性保持部に設けられて、第１の被覆体１１及び第２の被覆体１２を係止して形状を保持する。定形保持部は、第１の被覆体１１と第２の被覆体１２との間隔を保つ。例えば、第１の被覆体１１及び第２の被覆体１２が変形しやすい部材で構成した場合でも、一定の形状を保つようにでき、第１の被覆体１１と第２の被覆体１２との間隔を保つことで、流入した空気を移動させる長手流路や周回流路などを形成することができる。
【００８０】
＜第９の実施態様＞
前記第１の被覆体１１は、前記ガンマイクを収納して保持するガンマイク保持部（例えば、後述する第１の音響透過体１１０の内側など）を有する。
【００８１】
第１の被覆体１１はガンマイク保持部を有する。ガンマイク保持部は、ガンマイクを第１の被覆体１１に収納して保持する。第１の被覆体１１にガンマイクを取り付けるためのアダプタなどの取り付け用の別個の部材などを用いることなくガンマイクを収納でき、ガンマイクの着脱を容易にかつ簡便にできる。
【００８２】
＜第１０の実施態様＞
使用者によって支持されることができ、前記第４の被覆体を介して前記弾性保持部と着脱可能に連結される把持部（例えば、後述する把持部４１０など）を、さらに備える。
【００８３】
把持部は、使用者によって支持されることができる部材である。例えば、把持部は、使用者の手で握って支持できる部材である。把持部は、弾性保持部に着脱可能に連結される。把持部は、第４の被覆体を挟んで弾性保持部に連結される。言い換えれば、把持部が弾性保持部に連結された状態では、第４の被覆体は、把持部と弾性保持部とによって挟まれる。把持部は、必要に応じて取り付けることができ、運搬時などの取り扱いを簡便にできる。
【００８４】
＜第１１の実施態様＞
前記第４の被覆体と前記把持部との間に設けられ前記第４の被覆体を弾性的に保持する把持部弾性保持体（例えば、後述する振動吸収体４１６など）と、をさらに備える。
【００８５】
把持部弾性保持体は、弾性変形可能な部材であり、第４の被覆体を弾性的に保持する。把持部弾性保持体は、第４の被覆体と把持部との間に設けられる。把持部に衝撃や固体音が加えられた場合でも、固体音や衝撃を把持部弾性保持体で吸収でき、固体音や衝撃が第４の被覆体に伝わることを防止でき、衝撃がガンマイク３００に雑音として収音されることを防止できる。
【００８６】
＜＜＜＜第１の実施の形態＞＞＞＞
最初に、第１の実施の形態によるガンマイク用風防１００について説明する。後述する第２の実施の形態によるガンマイク用風防２００との相違は、第２の空間ＳＰ２０における弾性発泡体１４０の有無である。
【００８７】
図２は、ガンマイク用風防１００の全体を示す斜視図である。図３は、ガンマイク用風防１００に収納される第１の音響透過体１１０と第２の音響透過体１２０と第３の音響透過体１３０と弾性発泡体１４０とバスケット１５０とガンマイク３００とを示す斜視図である。図４は、ガンマイク用風防１００の構成を周方向で切断して示す断面図である。図５は、ガンマイク用風防１００の構成を長手方向で切断して示す断面図である。図６は、第１の空間ＳＰ１０及び第２の空間ＳＰ２０で、長手方向に流動する空気の流れを示す断面図（Ａ）と、周方向に流動する空気の流れを示す断面図（Ｂ）とである。
【００８８】
＜＜＜ガンマイク用風防１００＞＞＞
本実施の形態によるガンマイク用風防１００は、いわゆるガンマイク３００に用いられる風防である。ガンマイク３００は、鋭い指向性を有し、周囲の音を打ち消して、ガンマイク３００を向けた先の音を収音することができるマイクロホンである。
【００８９】
＜＜ガンマイク（ショットガンマイク）３００＞＞
図３に示すように、ガンマイク３００は、略円柱状で細長い長尺な外形を有する。ガンマイク３００は、主に、マイクロホン本体３１０と干渉管３２０とを有する。
【００９０】
干渉管３２０は、細長い長尺な略円筒状の形状を有する。干渉管３２０は、長手方向に沿って第１の端部３３０と第２の端部３４０とを有する。第１の端部３３０には開口部３３２が形成されている。収音の対象となる音源に開口部３３２を向けることで、開口部３３２を介して、音源から発せられた音を干渉管の内部に伝えることができる。
【００９１】
干渉管３２０の第２の端部３４０には、振動板を有するマイクロホン本体３１０が接続されている。振動板は、干渉管３２０の内部を伝播してきた音を受けて振動する。マイクロホン本体３１０は、振動板の振動を電気信号に変換して音声信号として出力する。
【００９２】
さらに、干渉管３２０の側面には複数のスリット３５０が形成されている。ガンマイク３００（干渉管３２０）の側方に位置する音源から発せされた音は、複数のスリット３５０を通過して干渉管３２０の内側に入り込む。複数のスリット３５０を通過してきた音は、干渉管の内側で干渉して打ち消しあう。ガンマイク３００の側方の音源から発せられる音は、収音の対象でない。複数のスリット３５０を通過した音を干渉管の内側で打ち消しあうことでマイクロホン本体３１０に到達しないようにできる。このように、ガンマイク３００は、干渉管３２０を備えることで指向性を高めて収音することができる。
【００９３】
屋外などでガンマイクを使用した場合には、風などの空気の流れが、ガンマイク３００の開口部３３２だけでなく干渉管３２０にも触れやすくなる。上述したように、複数のスリット３５０が干渉管３２０の側面に形成されており、風などの流動する空気が複数のスリット３５０を介して干渉管３２０の内側に入り込みやすい。干渉管３２０の内側に空気が流入した場合には、空気の流動によってマイクロホン本体３１０の振動板を振動させやすくなり、いわゆる風雑音が発生する原因となる。このため、ガンマイク用風防１００は、干渉管３２０を含むガンマイク３００の全体を覆うようにする必要がある。
【００９４】
＜＜ガンマイク用風防１００の主な構成＞＞
図３に示すように、ガンマイク用風防１００は、主に、第１の音響透過体１１０と第２の音響透過体１２０と第３の音響透過体１３０と弾性発泡体１４０とバスケット１５０とを有する。後述するように、第１の音響透過体１１０、第２の音響透過体１２０、第３の音響透過体１３０、弾性発泡体１４０及びバスケット１５０は、いずれも長尺な形状を有し、略同心状（略同軸状）に配置される。
【００９５】
＜＜第１の音響透過体１１０と第２の音響透過体１２０と第３の音響透過体１３０＞＞
第１の音響透過体１１０と第２の音響透過体１２０と第３の音響透過体１３０は、いずれも、略薄板状の音響透過部材を円筒状に湾曲させることで形成される。音響透過部材は、接触した空気の一部の通過を妨げる。妨げることができなかった残りの空気は音響透過部材を通過する。音響透過部材については、後で詳述する。
【００９６】
＜形状及び大きさ＞
図３、図４及び図５に示すように、第１の音響透過体１１０と第２の音響透過体１２０と第３の音響透過体１３０は、いずれも、細長い略円筒状の形状を有する。第１の音響透過体１１０と第２の音響透過体１２０と第３の音響透過体１３０は、互いに太さが異なり、第１の音響透過体１１０が最も細く、次いで、第２の音響透過体１２０が太く、第３の音響透過体１３０が最も太い。
【００９７】
言い換えれば、第１の音響透過体１１０と第２の音響透過体１２０と第３の音響透過体１３０とは、互いに半径（直径）が異なり、第１の音響透過体１１０の半径（直径）は最も小さく、第３の音響透過体１３０の半径（直径）は最も大きく、第２の音響透過体１２０の半径（直径）は、第１の音響透過体１１０の半径（直径）よりも大きく、第３の音響透過体１３０の半径（直径）よりも小さい。
【００９８】
また、第１の音響透過体１１０と第２の音響透過体１２０と第３の音響透過体１３０との長手方向に沿った長さ（いわゆる円筒の高さ）は、いずれも略同じである。第１の音響透過体１１０と第２の音響透過体１２０と第３の音響透過体１３０との長手方向の端部を揃えることができる。
【００９９】
第１の音響透過体１１０の音源側の端部１１２と、第２の音響透過体１２０の音源側の端部１２２と、第３の音響透過体１３０の音源側の端部１３２とは、いずれも音響透過部材によって塞がれている。バスケット１５０の先端部１５２を介して流入して空気が、第１の音響透過体１１０、第２の音響透過体１２０、第３の音響透過体１３０の内側に入り込みにくくできる。
【０１００】
また、第１の音響透過体１１０の音源側とは反対側の端部１１４と、第２の音響透過体１２０の音源側とは反対側の端部１２４と、第３の音響透過体１３０の音源側とは反対側の端部１３４とは、いずれも開放されている。後述する第１の空間ＳＰ１０と第２の空間ＳＰ２０との間で互いに空気の均衡を図りつつ、全体として空気を減衰させやすくして、急激な空気の流れを弱めることができる。
【０１０１】
＜配置＞
図３、図４及び図５に示すように、第１の音響透過体１１０と第２の音響透過体１２０と第３の音響透過体１３０とを、このような形状及び大きさにすることで、第１の音響透過体１１０を第２の音響透過体１２０で覆うとともに、第２の音響透過体１２０を第３の音響透過体１３０で覆うようにし、第１の音響透過体１１０と第２の音響透過体１２０と第３の音響透過体１３０とを、順に覆うように略同心状（同軸状）に配置することができる。
【０１０２】
第１の音響透過体１１０及び第２の音響透過体１２０は、互いに半径方向に離隔して配置され、第２の音響透過体１２０及び第３の音響透過体１３０は、互いに半径方向に離隔して配置される。
【０１０３】
後述するように、第１の音響透過体１１０の内側に、長手方向に沿って、ガンマイク３００が配置される。第１の音響透過体１１０の半径は、使用対象となるガンマイク３００の半径よりも大きく定められる。
【０１０４】
第１の音響透過体１１０は、ガンマイク３００を着脱可能に収容して保持するための保持部材としても機能する。第１の音響透過体１１０は円筒状の形状を有するとともに、第１の音響透過体１１０の長手方向の長さは、ガンマイク３００の長手方向の長さよりも長い。このため、ガンマイク３００を第１の音響透過体１１０に円滑に着脱できるとともに、ガンマイクの先端に間隙（空気層）を確保しつつガンマイク３００の全体を第１の音響透過体１１０に収容することができる。
【０１０５】
＜音響透過部材＞
音響透過部材は、繊維を含んで構成される原料を互いに交絡することによって得られる繊維材料からなり、当該繊維材料の透気度は０．５ｓ／１００ｍｌ未満となっている。これは、音響透過部材として用いられる繊維材料の透気度が０．５ｓ／１００ｍｌ含んで構成される原料を互いに交絡することによって得られる繊維材料であるために、無数の不規則な空隙を有する程度の繊維の密度となっているので、風切音の原因となる風が遮断されるからである。
【０１０６】
すなわち、繊維材料からなる音響透過部材が空気分子塊の移動である「風」に対しては遮蔽物、あるいは移動方向変換装置（フラップ）として機能し、また気圧変化の移動（媒体自体は振動するだけで移動しない）である「音」に対してはほぼ完全な透過性を呈するからである。
【０１０７】
なお、音響透過部材は、繊維材料自体が自立性（剛性）を有する場合、他の部材を併用する必要はないが、例えば、２つの網状体の間に繊維材料を挟みこんだ構成を有していてもよい。
【０１０８】
ここで、音響透過部材について、詳細に説明する。
【０１０９】
前述のように、音響透過部材は所定の周波数の範囲（２０〜２０ｋＨｚ）を透過し、それを構成する繊維材料は、透気度が０．５ｓ／１００ｍｌ未満である。当該性質を有することにより、音響透過性が著しく向上する。透気度とは、一定面積を一定の空気が一定圧力の下で通過するのにかかる時間を意味し、ここではシート状の音響透過性材料に対して、１００ｍｌの空気が通過するのに要する時間である。透気度は、ＪＩＳ  Ｐ８１１７に規定されているガーレー法により測定する。
【０１１０】
また、透気度が０．５ｓ／１００ｍｌ未満とは、本願の測定に用いた装置での測定可能範囲が０．５ｓ／１００ｍｌ以上となっており、音響透過部材の透気度は、この測定可能範囲を下回ったからである。
【０１１１】
音響透過部材は、繊維を含んで構成される原料を互いに交絡することによって得られる。例えば、湿式抄造法で抄紙することによって、繊維が互いに交絡している繊維材料が得られる。繊維材料の製造に用いられる原料は、本実施の形態では、金属繊維またはフッ素繊維である。また、音響透過部材として用いられる繊維材料は、厚さ３ｍｍ以下であり、好ましくは厚さ１０μｍ〜２０００μｍ、より好ましくは厚さ２０μｍ〜１５００μｍである。このような厚みとすることにより、ある程度の剛性を有し最小限のシンプルな骨組みで効果的な風切音低減効果が得られる。
【０１１２】
但し、繊維材料の原料は金属繊維やフッ素繊維に限定されるものではなく、また厚さも上記の数値に限定されるものではない。
【０１１３】
次に、繊維材料の原料としての金属繊維の材料について説明する。
【０１１４】
音響透過部材として金属繊維を用いて湿式抄造により製造する場合、金属繊維材料は、１種または２種以上の金属繊維を含んで構成されるスラリーを湿式抄造法で抄紙することによって得られるものであり、金属繊維を用いて圧縮成形により製造する場合、金属繊維の集合体を加熱下で加圧することによって得られるものであり、ともに金属繊維が互いに交絡している金属繊維材料である。金属繊維材料の形状については特に限定されないが、金属繊維シートであることが好適である。
【０１１５】
以下、金属繊維の材料、構造および製造方法について詳述する。なお、当該金属繊維材料およびその製造方法として、特開２０００−８０５９１、特許２６４９７６８および特許２５６２７６１の記載内容も本明細書に組み込まれているものとする。
【０１１６】
金属繊維の材料である１種または２種以上の金属繊維とは、ステンレス、アルミニウム、真ちゅう、銅、チタン、ニッケル、金、白金、鉛等の金属材料を素材とする繊維から選択される１種または２種以上の組み合わせである。
【０１１７】
金属繊維材料は、金属繊維が互いに交絡した構造を採っている。また、当該金属繊維を構成する金属繊維は、１μｍ〜５０μｍ、好ましくは２μｍ〜３０μｍ、より好ましくは８μｍ〜２０μｍの繊維径を有するものである。このような金属繊維であれば、金属繊維同士を交絡させるのに好適であり、また、このような金属繊維同士を交絡させることにより、表面がけば立ちの少なく、音響透過性のある金属繊維シートとすることが可能となる。
【０１１８】
金属繊維材料の湿式抄造法による製造方法は、１種または２種以上の金属繊維を含んで構成されるスラリーを湿式抄造法によりシート形成する際に、網上の水分を含んだシートを形成している前記金属繊維を互いに交絡させる繊維交絡処理工程を含んで構成される。
【０１１９】
ここで、繊維交絡処理工程としては、例えば、抄紙後の金属繊維シート面に高圧ジェット水流を噴射する繊維交絡処理工程を採用するのが好ましく、具体的には、シートの流れ方向に直交する方向に複数のノズルを配列し、この複数のノズルから同時に高圧ジェット水流を噴射することにより、シート全体に亘って金属繊維同士を交絡させることが可能である。すなわち、湿式抄紙により平面方向に不規則に交差した金属繊維で構成されるシートに、例えば、高圧ジェット水流をシートのＺ軸方向に噴射することにより、高圧ジェット水流が噴射された部分の金属繊維がＺ軸方向に配向する。このＺ軸方向に配向した金属繊維が平面方向に不規則に配向した金属繊維間に絡みつき、各繊維が互いに三次元的に絡み合った状態、すなわち交絡することで物理的強度を得ることができるものである。
【０１２０】
また、抄造方法は、例えば、長網抄紙、円網抄紙、傾斜ワイヤ抄紙等、必要に応じて種々の方法を採用することができる。なお、長繊維の金属繊維を含むスラリーを製造する場合、金属繊維の水中での分散性が悪くなることがあるので、増粘作用のあるポリビニルピロリドン、ポリビニルアルコール、カルボキシメチルセルロース（ＣＭＣ）等の高分子水溶液を少量添加してもよい。
【０１２１】
金属繊維材料の圧縮成形による製造方法は、まずは繊維をまとめ、予備的に圧縮等することでウェブを形成する、または繊維間の結合を付与するために繊維間にバインダを含浸させた後に予備的に圧縮等する。この後、金属繊維の集合体を加熱下で加圧して金属繊維シートが形成される。かかるバインダとしては、特に限定されないが、例えば、アクリル系接着剤、エポキシ系接着剤、ウレタン系接着剤などの有機系バインダの他に、コロイダルシリカ、水ガラス、ケイ酸ソーダなどの無機質接着剤を用いることができる。なお、バインダを含浸する代わりに、繊維の表面に熱接着性樹脂を予め被覆しておき、金属繊維の集合体を積層した後に加熱し接着してもよい。バインダの含浸量は、シートの面重量１０００ｇ／ｍ２に対して、５〜１３０ｇが好適であり、２０〜７０ｇがより好適である。
【０１２２】
金属繊維の集合体を加熱下で加圧してシートが形成される。加熱条件は使用するバインダや熱接着性樹脂の乾燥温度や硬化温度を考慮して設定されるが、加熱温度は通常５０〜１０００℃程度である。加圧圧力は繊維の弾力性、音響透過部材の厚さ、音響透過部材の光透過率を考慮して調節される。なお、スプレー法によりバインダを含浸させる場合には、スプレー処理する前に金属繊維層をプレス加工等により所定厚さに成形するのが好ましい。
【０１２３】
また、金属繊維材料の製造方法は、上述した湿式抄造工程後、得られた金属繊維材料を真空中または非酸化雰囲気中で金属繊維の融点以下の温度で焼結する焼結工程を含んで構成されるのが好ましい（圧縮成形の場合は、加温・加圧がこの焼結工程に代わる）。すなわち、上述した湿式抄造工程後、焼結工程が行われれば、繊維交絡処理が施されるため、金属繊維材料に有機バインダ等を添加する必要がないので、有機バインダ等の分解ガスが焼結工程において障害となることもなく、金属特有の光沢面を有する金属繊維材料を製造することが可能となる。また、金属繊維が交絡しているので、焼結後の金属繊維材料の強度を一層向上することが可能となる。さらに、金属繊維材料を焼結することにより、高い音響透過性を示し、防水性に優れる材料となる。焼結しない場合、残存する増粘作用のある高分子が水を吸収し、防水性が劣る可能性がある。
【０１２４】
次に、繊維材料の原料としてのフッ素繊維の材料について説明する。
【０１２５】
繊維としてフッ素繊維を使用した場合、フッ素繊維材料は、不規則方向に配向した短繊維状のフッ素繊維により構成され、該繊維の繊維間が熱融着により結合されている材料（紙）である。
【０１２６】
以下、フッ素繊維の材料および製造方法について詳述する。なお、当該フッ素繊維材料およびその製造方法として、特開昭６３−１６５５９８の記載内容も本明細書に組み込まれているものとする。
【０１２７】
フッ素繊維は、熱可塑性フッ素樹脂から製造されるもので、その主成分としてはポリテトラフルオロエチレン（ＰＴＦＥ）、テトラフルオロエチレン（ＴＦＥ）、パーフルオロエーテル（ＰＦＥ）、テトラフルオロエチレンとヘキサフルオロプロピレンとのコポリマー（ＦＥＰ）、テトラフルオロエチレンとエチレンまたはプロピレンとのコポリマー（ＥＴＦＥ）、フッ化ビニリデン系樹脂（ＰＶＤＦ）、ポリクロロトリフルオロエチレン樹脂（ＰＣＴＦＥ）、フッ化ビニル系樹脂（ＰＶＦ）があるが、フッ素樹脂から作られたものであればこれらに限定されるものではなく、さらにこれらあるいは他の樹脂と混合して使用することもできる。ここで、当該フッ素繊維は、湿式抄紙法により紙状物とするために、繊維長が１〜２０ｍｍの単繊維であることが好適であり、また、その繊維径は２〜３０μｍであることが好適である。
【０１２８】
フッ素繊維材料は、フッ素繊維と自己接着機能を有する物質とを湿式抄造法により混抄し乾燥して得たフッ素繊維混抄紙材料を、フッ素繊維の軟化点以上で熱圧着してフッ素繊維の繊維間を熱融着させた後、自己接着機能を有する物質を溶媒により溶解除去し、必要により再乾燥することにより製造することができる。
【０１２９】
ここで、自己接着機能を有する物質としては、通常製紙用として用いられる木材、綿、麻、わら等の植物繊維からなる天然パルプ、ポリビニルアルコール（ＰＶＡ）、ポリエステル、芳香族ポリアミド、アクリル系、ポリオレフィン系の熱可塑性合成高分子からなる合成パルプや合成繊維、更に天然高分子や合成高分子からなる製紙用紙力増強剤等を用いることができるが、自己接着性の機能があってフッ素繊維と混在して水に分散できるものであればこれらに限定されるものではない。
【０１３０】
本発明の音響透過部材は、繊維を含んで構成される原料を湿式抄造法で抄紙することによって得られる繊維材料を含み、当該繊維材料の透気度が０．５ｓ／１００ｍｌ未満であれば足り、これらに限定されるものではない。
【０１３１】
上述したように、音響透過部材は、無数の不規則な空隙を有する程度の繊維の密度を有し、風切音の原因となる風を遮断することができる。繊維材料からなる音響透過部材は、空気分子塊の移動である「風」に対しては遮蔽物として機能し、又は移動方向変換装置（フラップ）として機能するとともに、気圧変化の移動（媒体自体は振動するだけで移動しない）である「音」に対してはほぼ完全な透過性を呈する。
【０１３２】
第１の音響透過体１１０、第２の音響透過体１２０及び第３の音響透過体１３０は、このような音響透過部材によって構成され、基本的には、風切音の原因となる風を遮断することができる。しかしながら、ガンマイク３００は、屋外などで使用される場合が多く風の影響を受けやすく、また、長尺な形状を有するために風に触れる面積が大きくならざるを得ない。このため、第１の音響透過体１１０、第２の音響透過体１２０及び第３の音響透過体１３０を設けることで、後述する第１の空間ＳＰ１０及び第２の空間ＳＰ２０を形成し、空気の流れを遮断する必要がある。
【０１３３】
＜＜第１の空間ＳＰ１０及び第２の空間ＳＰ２０＞＞
上述したように、第１の音響透過体１１０及び第２の音響透過体１２０は、略同心状にかつ互いに離隔するように配置されている。このため、第１の音響透過体１１０と第２の音響透過体１２０とに挟まれた領域に、第１の空間ＳＰ１０を画定することができる（図４及び図５参照）。第１の空間ＳＰ１０は、全体として略円筒状の形状を有する間隙である。第１の空間ＳＰ１０の長手方向に沿った長さは、第１の音響透過体１１０及び第２の音響透過体１２０の長手方向に沿った長さによって定まる。第１の空間ＳＰ１０の側面の厚さは、第１の音響透過体１１０と第２の音響透過体１２０との間隔ＤＴ１０であり、第１の音響透過体１１０の半径と第２の音響透過体１２０の半径との差で定まる。
【０１３４】
同様に、第２の音響透過体１２０と第３の音響透過体１３０とに挟まれた領域に、第２の空間ＳＰ２０を画定することができる（図４及び図５参照）。第２の空間ＳＰ２０は、全体として略円筒状の形状を有する間隙である。第２の空間ＳＰ２０の長手方向に沿った長さは、第２の音響透過体１２０及び第３の音響透過体１３０の長手方向に沿った長さによって定まる。第２の空間ＳＰ２０の側面の厚さは、第２の音響透過体１２０と第３の音響透過体１３０との間隔ＤＴ２０であり、第２の音響透過体１２０の半径と第３の音響透過体１３０の半径との差で定まる。
【０１３５】
＜＜弾性発泡体１４０＞＞
弾性発泡体１４０は、一般に、ポリウレタン等の合成樹脂を発泡成形して作られ、連続気泡を有するスポンジ状の弾性発泡体により形成される。弾性発泡体１４０は、第２の空間ＳＰ２０の全体に亘って設けられる。したがって、弾性発泡体１４０は、第２の空間ＳＰ２０と略同じ形状及び大きさを有し、第２の空間ＳＰ２０は、弾性発泡体１４０によって占められる（充填される）。
【０１３６】
なお、第２の空間ＳＰ２０の全体に弾性発泡体１４０を充填しても、一部のみに設けてもよい。たとえば、弾性発泡体１４０を円筒状にして、第３の音響透過体１３０の内側に貼りつけるようにして、第２の音響透過体１２０の外側と間隙が生ずるようにしてもよい。また、第２の空間ＳＰ２０の中央部のみや両端部のみに弾性発泡体１４０を設けてもよい。第２の空間ＳＰ２０に生ずる空気の流れが減衰するように適宜に弾性発泡体１４０を設ければよい。
【０１３７】
＜＜バスケット１５０＞＞
図２及び図３に示すように、バスケット１５０は、ガンマイク３００並びに第１の音響透過体１１０、第２の音響透過体１２０、第３の音響透過体１３０及び弾性発泡体１４０の全体を保護するための被覆体である。バスケット１５０は、音を通過させるとともに、内部に収容されるガンマイク３００などを保護する機能を有する。
【０１３８】
＜形状・大きさ＞
バスケット１５０は、先端部１５２と円筒部１５４とを有する。先端部１５２は、略半球状の形状を有する。円筒部１５４は、長尺な円筒状の形状を有する。先端部１５２及び円筒部１５４は、細かい間隙を有し網目状に形成され、外部からの音を通過させることができる。
【０１３９】
円筒部１５４の半径は、第３の音響透過体１３０の半径よりも若干長い。また、円筒部１５４の長手方向の長さは、第１の音響透過体１１０、第２の音響透過体１２０、第３の音響透過体１３０及び弾性発泡体１４０の長手方向の長さよりも若干長い。
【０１４０】
円筒部１５４は、長手方向に沿って第１の端部１５６ａと第２の端部１５６ｂとを有する。先端部１５２は、円筒部１５４の第１の端部１５６ａに着脱可能に取り付けることができる。第２の端部１５６ｂは、略円形状の開口が形成されている。第２の端部１５６ｂの開口から、第１の音響透過体１１０、第２の音響透過体１２０、第３の音響透過体１３０及び弾性発泡体１４０を、バスケット１５０の円筒部１５４に挿入して収納することができる。言い換えれば、第１の音響透過体１１０、第２の音響透過体１２０、第３の音響透過体１３０及び弾性発泡体１４０の全体を、バスケット１５０によって覆うことができる。
【０１４１】
第１の音響透過体１１０、第２の音響透過体１２０、第３の音響透過体１３０及び弾性発泡体１４０は、バスケット１５０の内部で互いに固定部材（図示せず）によって所定の位置に固定される。このようにして、第１の音響透過体１１０、第２の音響透過体１２０、第３の音響透過体１３０、弾性発泡体１４０及びバスケット１５０が一体化される。なお、一体化は、固定的なものでも着脱可能なものでもよい。
【０１４２】
先端部１５２の内側には、ガンマイク３００の干渉管３２０の開口部３３２が位置づけられる。先端部１５２の内側にも、音響透過体（図示せず）が設けられている。先端部１５２の内側に、音響透過体だけでなく弾性発泡体１４０を設けてよい。
【０１４３】
なお、第３の音響透過体１３０をバスケット１５０の内周面の全面に亘って設け、第３の音響透過体１３０とバスケット１５０とを一体に形成してもよい。第３の音響透過体１３０の取り付けを容易にすることができるとともに、第３の音響透過体１３０の形状を一定に保つことができる。
【０１４４】
＜材料＞
バスケット１５０は、音を通過させるとともに、内部に収容した第１の音響透過体１１０などを保護できればよい。たとえば、バスケット１５０は、強化プラスチックなど樹脂や、プラスチックアルミなどの金属などで形成することができる。
【０１４５】
円筒部１５４の半径は、第３の音響透過体１３０の半径よりも大きい。また、円筒部１５４の長手方向の長さは、第１の音響透過体１１０、第２の音響透過体１２０、第３の音響透過体１３０及び弾性発泡体１４０の長手方向の長さよりも若干長い。
【０１４６】
第１の音響透過体１１０、第２の音響透過体１２０、第３の音響透過体１３０、弾性発泡体１４０及びバスケット１５０を一体化することによって、ガンマイク用風防１００を構成することができる。
【０１４７】
第１の音響透過体１１０の内側に長手方向に沿ってガンマイク３００を収納することで、ガンマイク３００をガンマイク用風防１００で覆うことができる。図３に示すように、ガンマイク３００には、電気信号を出力するためのケーブル３６０が接続される。ガンマイク用風防１００は、ケーブル３６０がガンマイク３００に接続されている接続端部を含めてガンマイク３００の全体を覆うことができる大きさを有する。
【０１４８】
＜＜第１の空間ＳＰ１０、第２の空間ＳＰ２０における空気の流れ（圧力の変化）＞＞
以下では、図６を参照しつつ、第１の空間ＳＰ１０に入り込んだ空気の流れと、第２の空間ＳＰ２０に入り込んだ空気の流れとを説明する。
【０１４９】
＜第２の空間ＳＰ２０における空気の流れ（圧力の変化）＞
図６Ａは、第２の空間ＳＰ２０において長手方向に沿って案内される空気の流れを示す断面図である。図６Ｂは、第２の空間ＳＰ２０において周方向（第２の音響透過体１２０を周回する方向）に沿って案内される空気の流れを示す断面図である。なお、明瞭のため、図６Ａ及び図６Ｂでは、バスケット１５０を省略して示した。
【０１５０】
第２の空間ＳＰ２０は、第２の音響透過体１２０と第３の音響透過体１３０とに挟まれた領域である。また、第２の空間ＳＰ２０には弾性発泡体１４０が充填されている。
【０１５１】
バスケット１５０を通過した空気は、まず、第３の音響透過体１３０の音響透過部材に接触する。接触した空気のうちの一部は、音響透過部材によって進行が遮断される。例えば、遮断された空気は、音響透過部材に沿って移動したり音響透過部材によって反射したりする。音響透過部材によって遮断されなかった残りの空気は、音響透過部材を通過する。音響透過部材によって遮断するので、音響透過部材を通過して第２の空間ＳＰ２０（弾性発泡体１４０）に入り込む空気の量を減らすことができる。
【０１５２】
第２の空間ＳＰ２０に入り込んだ空気は、弾性発泡体１４０に進入する。弾性発泡体１４０は連続気泡を有し、弾性発泡体１４０に進入した空気は連続気泡に沿って移動する。弾性発泡体１４０によって空気の流れの向きを制御することができる。また、連続気泡との衝突により空気の流れを妨げ徐々に減速することができる。このように、弾性発泡体１４０は、空気の速度を抑制することができる。
【０１５３】
さらに、第２の空間ＳＰ２０（弾性発泡体１４０）は、第２の音響透過体１２０と第３の音響透過体１３０とに挟まれており、弾性発泡体１４０に進入した空気は、第２の音響透過体１２０及び第３の音響透過体１３０に接触するたびに阻まれて進行する。このように、弾性発泡体１４０に進入した空気は、第２の音響透過体１２０及び第３の音響透過体１３０に案内されながら第２の空間ＳＰ２０内を移動し、第２の音響透過体１２０及び第３の音響透過体１３０のと接触、並びに弾性発泡体１４０との衝突などによって徐々に減速していく（図１０参照）。
【０１５４】
第２の空間ＳＰ２０内を移動する空気は、第２の音響透過体１２０及び第３の音響透過体１３０の長手方向に沿って移動する成分ＬＰ２０（図６Ａ及び図１０参照）と、第２の音響透過体１２０及び第３の音響透過体１３０の周方向に沿って移動する成分ＡＰ２０（図６Ｂ及び図１０参照）とを有する。
【０１５５】
＜第２の空間ＳＰ２０における長手方向の空気の流れ＞
第２の音響透過体１２０及び第３の音響透過体１３０は、ガンマイク３００を長手方向に覆うようにガンマイク３００に合わせて長尺な形状を有する。このため、第２の音響透過体１２０と第３の音響透過体１３０とに挟まれた第２の空間ＳＰ２０も長尺な略円筒状の形状を有し、第２の空間ＳＰ２０は、ガンマイク３００の長手方向の長さに応じて、長手方向に延びて存在（延在）する空間である。
【０１５６】
第２の空間ＳＰ２０の長手方向の長さは、使用するガンマイク３００の外形に応じて定めることができる。たとえば、第２の空間ＳＰ２０の長手方向の長さは、ガンマイク３００の長手方向の長さと略同じであるか又は若干長くすることができ、ガンマイク３００の直径の１０倍以上の長さにできる。
【０１５７】
第２の空間ＳＰ２０は、空気を長手方向に流動可能にするための領域であり、第２の空間ＳＰ２０に入り込んだ空気は、長手方向に移動することができる。すなわち、第２の空間ＳＰ２０に入り込んだ空気を、第２の音響透過体１２０及び第３の音響透過体１３０によって長手方向に案内しながら、弾性発泡体１４０によって徐々に減速させることができる。第２の空間ＳＰ２０によって、長手方向に空気が十分に移動できる空間を確保することで、空気を移動させつつ徐々に減速させる機会を増やすことができ、第２の空間ＳＰ２０から第１の空間ＳＰ１０に空気が入り込みにくくできる。
【０１５８】
このように、第２の空間ＳＰ２０は、空気が長手方向に流動できる領域が確保された空間であり、第１の空間ＳＰ１０に空気が入り込みにくくするための空気の流れの緩衝領域として機能する。
【０１５９】
＜第２の空間ＳＰ２０における周方向の空気の流れ＞
また、第２の音響透過体１２０及び第３の音響透過体１３０は、略円筒状の形状を有し、ガンマイク３００を周回するようにガンマイク３００を覆う。このため、第２の音響透過体１２０と第３の音響透過体１３０とに挟まれた第２の空間ＳＰ２０もガンマイク３００を周回する略円筒状の形状を有し、第２の空間ＳＰ２０は、ガンマイク３００を周方向に覆う空間でもある。
【０１６０】
第２の空間ＳＰ２０の直径方向の厚さは、ガンマイク３００の直径に応じて決定することができる。例えば、第２の空間ＳＰ２０の直径方向の厚さを、ガンマイク３００の直径以下にしたり、半径以下にしたりすることができる。また、第２の空間ＳＰ２０の直径方向の厚さを、ガンマイク３００の直径よりも大きくしてもよい。
【０１６１】
いずれにしても、第２の空間ＳＰ２０は、空気の流れの緩衝領域として機能できればよく、第２の空間ＳＰ２０によって、空気が十分に移動できる空間を確保できればよい。第２の空間ＳＰ２０の長手方向の長さと、第２の空間ＳＰ２０の直径方向の厚さとのバランスによって、空気が十分に移動できる空間を定めればよい。たとえば、第２の空間ＳＰ２０の直径方向の厚さを短くしたとしても、第２の空間ＳＰ２０の長手方向の長さを長くすることで、空気が十分に移動できる空間を確保できればよい。
【０１６２】
第２の空間ＳＰ２０は、空気を周方向に沿って流動可能にするための領域であり、第２の空間ＳＰ２０に入り込んだ空気は、周方向に沿って移動することができる。すなわち、第２の空間ＳＰ２０に入り込んだ空気を、第２の音響透過体１２０及び第３の音響透過体１３０によって周方向に案内しながら、弾性発泡体１４０によって徐々に減速させることができる。第２の空間ＳＰ２０によって、周方向に空気が十分に移動できる空間を確保することで、空気を移動させつつ徐々に減速させる機会を増やすことができ、第２の空間ＳＰ２０から第１の空間ＳＰ１０に空気が入り込みにくくできる。
【０１６３】
このように、第２の空間ＳＰ２０は、空気が長手方向及び周方向に流動できる領域が確保された空間であり、第１の空間ＳＰ１０に空気が入り込みにくくするための空気の流れの緩衝領域として機能する。
【０１６４】
＜第２の空間ＳＰ２０における空気の流れ＞
上述したように、第２の空間ＳＰ２０に入り込んだ空気は、長手方向に沿って移動する成分ＬＰ２０（図６Ａ及び図１０参照）と、周方向に沿って移動する成分ＡＰ２０（図６Ｂ及び図１０参照）とを有する。長手方向の成分ＬＰ２０と周方向の成分ＡＰ２０は、第２の空間ＳＰ２０に入り込むときの第３の音響透過体１３０に対する角度や速度分布などによって定まる。
【０１６５】
長手方向の成分ＬＰ２０の空気は、第２の音響透過体１２０及び第３の音響透過体１３０によって阻まれながら長手方向に沿って移動し、弾性発泡体１４０によって徐々に減速される。周方向の成分ＡＰ２０の空気も、第２の音響透過体１２０及び第３の音響透過体１３０によって阻まれながら周方向に沿って移動し、弾性発泡体１４０によって徐々に減速される。このように、第２の空間ＳＰ２０は、第２の空間ＳＰ２０に入り込んだ空気を徐々に減速するための緩衝領域として機能する。
【０１６６】
なお、第２の空間ＳＰ２０に入り込んだ空気は、第２の空間ＳＰ２０で減速されるだけでなく、流速や角度や流量などによっては、周方向に流動した後に、反対側の第２の空間ＳＰ２０からバスケット１５０の外側に抜け出る場合もある（図６の矢印ＯＰ２０参照）。第２の空間ＳＰ２０で流動する空気が、第２の音響透過体１２０で阻まれることで第１の空間ＳＰ１０に入り込みにくくできればよい。
【０１６７】
＜第１の空間ＳＰ１０における空気の流れ（圧力の変化）＞
図６Ａは、第１の空間ＳＰ１０において長手方向に沿って案内される空気の流れを示す断面図である。図６Ｂは、第１の空間ＳＰ１０において周方向（第１の音響透過体１１０を周回する方向）に沿って案内される空気の流れを示す断面図である。なお、明瞭のため、図６Ａ及び図６Ｂでは、バスケット１５０を省略して示した。
【０１６８】
第１の空間ＳＰ１０は、第１の音響透過体１１０と第２の音響透過体１２０とに挟まれた領域である。第１の空間ＳＰ１０は、第２の空間ＳＰ２０とは異なり、弾性発泡体１４０が充填されていない。なお、ガンマイク３００が使用される環境などに応じて、第１の空間ＳＰ１０にも弾性発泡体１４０を適宜に充填してもよい。
【０１６９】
上述したように、第２の空間ＳＰ２０（弾性発泡体１４０）は、第２の空間ＳＰ２０に入り込んだ空気を徐々に減速するための緩衝領域として機能する。したがって、空気は、第２の音響透過体１２０を通過しにくくなっている。しかしながら、ガンマイク３００が使用される環境によっては、空気が第２の音響透過体１２０を通過する場合も想定される。空気が第２の音響透過体１２０を通過した場合には、第１の空間ＳＰ１０にも入り込む。
【０１７０】
第１の空間ＳＰ１０は、第１の音響透過体１１０と第２の音響透過体１２０とに挟まれており、第１の空間ＳＰ１０に入り込んだ空気は、第１の音響透過体１１０及び第２の音響透過体１２０に接触するたびに阻まれて進行する。このように、第１の空間ＳＰ１０に入り込んだ空気は、第１の音響透過体１１０及び第２の音響透過体１２０に接触するたびに減衰しつつ第１の空間ＳＰ１０内を移動していく（図１０参照）。
【０１７１】
第１の空間ＳＰ１０内を移動する空気は、第２の空間ＳＰ２０と同様に、第１の音響透過体１１０及び第２の音響透過体１２０の長手方向に沿って移動する成分ＬＰ１０（図６Ａ及び図１０参照）と、第１の音響透過体１１０及び第２の音響透過体１２０の周方向に沿って移動する成分ＡＰ１０（図６Ｂ及び図１０参照）とを有する。
【０１７２】
＜第１の空間ＳＰ１０における長手方向の空気の流れ＞
第１の音響透過体１１０及び第２の音響透過体１２０は、ガンマイク３００を長手方向に覆うようにガンマイク３００に合わせて長尺な形状を有する。このため、第１の音響透過体１１０と第２の音響透過体１２０とに挟まれた第１の空間ＳＰ１０も長尺な略円筒状の形状を有し、第１の空間ＳＰ１０は、ガンマイク３００の長手方向の長さに応じて、長手方向に延びて存在（延在）する空間である。
【０１７３】
第１の空間ＳＰ１０の長手方向の長さは、第２の空間ＳＰ２０と略同じ長さを有する。したがって、たとえば、第１の空間ＳＰ１０の長手方向（軸方向）の長さは、ガンマイク３００の長手方向の長さと略同じであるか又は若干長くすることができ、ガンマイク３００の直径の１０倍以上の長さにできる。
【０１７４】
第１の空間ＳＰ１０も、空気を長手方向に流動可能にするための領域であり、第１の空間ＳＰ１０に入り込んだ空気は、長手方向に移動することができる。すなわち、第１の空間ＳＰ１０に入り込んだ空気を、第１の音響透過体１１０及び第２の音響透過体１２０によって長手方向に案内しつつ接触によって徐々に減速させることができる。第１の空間ＳＰ１０によって、長手方向に空気が十分に移動できる空間を確保することで、空気を移動させつつ徐々に減速させる機会を増やすことができ、第１の空間ＳＰ１０からガンマイク３００に向かって空気が漏れ出にくくできる。
【０１７５】
このように、第１の空間ＳＰ１０も、空気が長手方向に流動できる領域が確保された空間であり、ガンマイク３００に空気が入り込みにくくするための空気の流れの緩衝領域として機能する。
【０１７６】
＜第１の空間ＳＰ１０における周方向の空気の流れ＞
また、第１の音響透過体１１０及び第２の音響透過体１２０は、略円筒状の形状を有し、ガンマイク３００を周回するようにガンマイク３００を覆う。このため、第１の音響透過体１１０と第２の音響透過体１２０とに挟まれた第１の空間ＳＰ１０もガンマイク３００を周回する略円筒状の形状を有し、第１の空間ＳＰ１０は、ガンマイク３００を周方向に覆う空間でもある。
【０１７７】
第１の空間ＳＰ１０の直径方向の厚さは、ガンマイク３００の直径に応じて決定することができる。例えば、第１の空間ＳＰ１０の直径方向の厚さを、ガンマイク３００の直径以下にしたり、半径以下にしたりすることができる。また、第１の空間ＳＰ１０の直径方向の厚さを、ガンマイク３００の直径よりも大きくしてもよい。
【０１７８】
いずれにしても、第１の空間ＳＰ１０は、空気の流れの緩衝領域として機能できればよく、第１の空間ＳＰ１０によって、空気が十分に移動できる空間を確保できればよい。第１の空間ＳＰ１０の長手方向の長さと、第１の空間ＳＰ１０の直径方向の厚さとのバランスによって、空気が十分に移動できる空間を定めればよい。たとえば、第１の空間ＳＰ１０の直径方向の厚さを短くしたとしても、第１の空間ＳＰ１０の長手方向の長さを長くすることで、空気が十分に移動できる空間を確保できればよい。
【０１７９】
さらに、第１の空間ＳＰ１０の大きさは、第２の空間ＳＰ２０の大きさに応じて定めてもよい。たとえば、第２の空間ＳＰ２０の大きさを第１の空間ＳＰ１０の大きさよりも十分に大きくした場合には、第２の空間ＳＰ２０に入り込んだ空気の流れの大半を、第２の空間ＳＰ２０で抑え第１の空間ＳＰ１０に入り込まないようにすることができる。また、第２の空間ＳＰ２０の大きさを第１の空間ＳＰ１０の大きさよりも小さくした場合には、第２の空間ＳＰ２０に入り込んだ空気の流れの一部を、第２の空間ＳＰ２０で抑え第１の空間ＳＰ１０に入り込まないようにすることができる。ガンマイク３００を使用する環境や干渉管３２０の構造などに応じて第１の空間ＳＰ１０の大きさと第２の空間ＳＰ２０の大きさとを定めることができる。
【０１８０】
第１の空間ＳＰ１０は、空気を周方向に沿って流動可能にするための領域であり、第１の空間ＳＰ１０に入り込んだ空気は、周方向に沿って移動することができる。すなわち、第１の空間ＳＰ１０に入り込んだ空気を、第１の音響透過体１１０及び第２の音響透過体１２０によって周方向に案内しつつ接触によって徐々に減速させることができる。第１の空間ＳＰ１０によって、周方向に空気が十分に移動できる空間を確保することで、空気を移動させつつ徐々に減速させる機会を増やすことができ、第１の空間ＳＰ１０からガンマイク３００に向かって空気が漏れ出にくくできる。
【０１８１】
このように、第１の空間ＳＰ１０は、空気が周方向にも流動できる領域が確保された空間であり、ガンマイク３００に空気が入り込みにくくするための空気の流れの緩衝領域として機能する。
【０１８２】
＜第１の空間ＳＰ１０における空気の流れ＞
上述したように、第１の空間ＳＰ１０に入り込んだ空気は、長手方向に沿って移動する成分ＬＰ１０（図６Ａ及び図１０参照）と、周方向に沿って移動する成分ＡＰ１０（図６Ｂ及び図１０参照）とを有する。長手方向の成分ＬＰ１０と周方向の成分ＡＰ１０は、第１の空間ＳＰ１０に入り込むときの第２の音響透過体１２０に対する角度や速度分布などによって定まる。
【０１８３】
長手方向の成分ＬＰ１０の空気は、第１の音響透過体１１０及び第２の音響透過体１２０によって阻まれながら長手方向に沿って移動し、弾性発泡体１４０によって徐々に減速される。周方向の成分ＡＰ１０の空気も、第１の音響透過体１１０及び第２の音響透過体１２０によって阻まれながら周方向に沿って移動し、弾性発泡体１４０によって徐々に減速される。このように、第１の空間ＳＰ１０は、第１の空間ＳＰ１０に入り込んだ空気を徐々に減速するための緩衝領域として機能する。
【０１８４】
なお、第１の空間ＳＰ１０に入り込んだ空気は、第１の空間ＳＰ１０で減速されるだけでなく、流速や角度や流量などによっては、周方向に流動した後に、反対側の第１の空間ＳＰ１０から第２の空間ＳＰ２０に抜け出る場合もある（図６の矢印ＯＰ１０参照）。第１の空間ＳＰ１０で流動する空気が、第１の音響透過体１１０で阻まれることでガンマイク３００に到達しにくくできればよい。
【０１８５】
風雑音は、マイクロホン本体３１０の振動板に直接に空気（風）が当たることによって発生する。上述したように、まず、第２の空間ＳＰ２０（弾性発泡体１４０）によって第２の空間ＳＰ２０に入り込んだ空気の動きを抑え、さらに、第１の空間ＳＰ１０によって第１の空間ＳＰ１０に入り込んだ空気の動きを抑える。このように、第１の空間ＳＰ１０及び第２の空間ＳＰ２０によって空気の動きを抑えるので、ガンマイク３００に向かって空気が漏れ出にくくでき、ガンマイク３００のマイクロホン本体３１０の振動板まで空気の動きが伝達しにくくして、風雑音を防止することができる。
【０１８６】
＜第１の空間ＳＰ１０及び第２の空間ＳＰ２０の負圧変動の抑制＞
上述したように、ガンマイク３００のマイクロホン本体３１０に空気が流入して振動板を振動させることで、風雑音が発生する。さらに、風雑音は、このような、直接的な空気の流入だけでなく、周囲の圧力の変動によっても生ずる。
【０１８７】
すなわち、ガンマイク３００の周囲で、僅かな圧力変動、具体的には負圧変動が生じ、負圧変動によってマイクロホン本体３１０の振動板を振動させ、風雑音が生ずる場合がある。ガンマイク用風防１００は、このような負圧変動も抑え、負圧変動による風雑音の発生を防ぐことができる。
【０１８８】
まず、バスケット１５０の外側で空気が流動することで、第２の空間ＳＰ２０で負圧変動が生じた場合には、第２の空間ＳＰ２０（弾性発泡体１４０）内で長手方向の空気の移動と周方向の空気の移動とを生じさせ、第２の空間ＳＰ２０での負圧変動を抑える。第２の空間ＳＰ２０での負圧変動を抑えることで、第１の空間で負圧変動が生ずることを防止できる。
【０１８９】
さらに、第２の空間ＳＰ２０の負圧変動が第１の空間ＳＰ１０に伝わり、第１の空間ＳＰ１０で負圧変動が生じた場合であっても、上述したように、第１の空間ＳＰ１０内で長手方向の空気の移動と周方向の空気の移動とを生じさせ、第１の空間ＳＰ１０での負圧変動を抑える。第１の空間ＳＰ１０での負圧変動を抑えることで、ガンマイク３００の振動板に負圧変動が伝わることを防止できる。
【０１９０】
第１の空間ＳＰ１０及び第２の空間ＳＰ２０の各々で、長手方向の空気の移動と周方向の空気の移動とを積極的に生じさせることで負圧変動を抑えることができる。第２の空間ＳＰ２０（弾性発泡体１４０）は、長尺な形状を有し、長手方向に空気を十分に移動させることができ、第２の音響透過体１２０及び第３の音響透過体１３０並びに弾性発泡体１４０と空気が接触することで移動させた空気を徐々に減速させることができる。
【０１９１】
さらに、第１の空間ＳＰ１０も、長尺な形状を有し、長手方向に空気を十分に移動させることができ、第１の音響透過体１１０及び第２の音響透過体１２０と空気が接触することで移動させた空気を徐々に減速させることができる。
【０１９２】
ガンマイク用風防１００は、第１の空間ＳＰ１０及び第２の空間ＳＰ２０を有し、長手方向に空気を十分に移動させるとともに、移動させた空気を減速させることで、負圧変動を吸収することができる。このように、第１の空間ＳＰ１０及び第２の空間ＳＰ２０を２段階の緩衝領域として機能させることで負圧変動を段階的に抑えることができる
【０１９３】
このように、ガンマイク用風防１００は、第１の空間ＳＰ１０及び第２の空間ＳＰ２０を形成したことにより、ガンマイク３００に空気が漏れ出にくくでき、空気が振動板を振動させることで生ずる風雑音を防ぐことができる。
【０１９４】
さらに、空気がガンマイク３００に入り込まない場合であってもガンマイク３００の周囲で空気が流動して生ずる負圧変動によって振動板を振動させる場合がある。このような場合でも、第１の空間ＳＰ１０及び第２の空間ＳＰ２０を形成したことにより負圧変動を抑えることができ、負圧変動による風雑音の発生も防ぐことができる。
【０１９５】
このように、第１の空間ＳＰ１０及び第２の空間ＳＰ２０により、空気の動きを遮るだけでなく、負圧変動の発生も抑えることができる。
【０１９６】
＜＜把持防振構造体４００＞＞
図１１は、バスケット１５０と把持防振構造体４００とを示す側面図である。図１２は、バスケット１５０と把持防振構造体４００とを示す斜視図である。図１３は、把持部４１０の構造を示す拡大側面図である。図１４は、把持防振構造体４００の全体を示す斜視図である。図１５は、第１の音響透過体１１０及び第２の音響透過体１２０を弾性保持体４３４に取り付けた状態を示す正面図である。図１６は、第１の音響透過体１１０を弾性保持体４３４に取り付けた状態を示す斜視図である。図１７は、バスケット１５０の端部を示す斜視図である。
【０１９７】
ガンマイク用風防１００のバスケット１５０には把持防振構造体４００を着脱可能に取り付けることができる。把持防振構造体４００は、把持部４１０と保持部４３０とを有する。
【０１９８】
使用者は、把持部４１０を手で持って支持することで、ガンマイク用風防１００とともにガンマイク３００を、所望する音源に向けて位置づけることができる。使用者は、把持部４１０によってガンマイク用風防１００を介してガンマイク３００を間接的に持つことができ、使用時に発生する衝撃や固体音などをガンマイク３００に直接に伝わらないようできる。
【０１９９】
さらに、把持防振構造体４００の保持部４３０は、ガンマイク用風防１００に加えられた衝撃や固体音を減衰させる。衝撃や固体音が雑音としてガンマイク３００に収音されないようにする。把持防振構造体４００は、把持部４１０と保持部４３０とを有する。
【０２００】
＜スリット１５８＞
図１２に示すように、バスケット１５０には、バスケット１５０の長手方向に沿ってスリット１５８が形成されている。スリット１５８は、バスケット１５０の第２の端部１５６ｂから、バスケット１５０の中ほどに形成された係止位置１６０まで形成されている。スリット１５８を介して、把持部４１０と保持部４３０とがバスケット１５０を挟むように取り付けられることで、把持防振構造体４００をバスケット１５０に着脱可能に設けることができる。
【０２０１】
＜把持部４１０＞
把持部４１０は、主に、グリップ４１２と連結体４１４と振動吸収体４１６を有する。グリップ４１２及び連結体４１４は、把持防振構造体４００がバスケット１５０に取り付けられたときには、バスケット１５０の外側に配置される。
【０２０２】
グリップ４１２は、ガンマイク３００及びガンマイク用風防１００の使用者が手で握ることできる部材である。使用者がグリップ４１２を握ることでガンマイク３００及びガンマイク用風防１００を所望する方向に向けることができる。
【０２０３】
連結体４１４は、グリップ４１２を回転可能に設けられる。たとえば、グリップ４１２は、ボルト及びナットなどの係止部材によって連結体４１４に回転可能に取り付けられる。グリップ４１２を連結体４１４に回転可能に取り付けることで、ガンマイク３００及びガンマイク用風防１００とグリップ４１２とのなす角度を、使用者の所望するものにでき、高い位置や低い位置の音源にガンマイク３００を向けることができる。
【０２０４】
また、連結体４１４は、長尺な形状を有し、バスケット１５０の外側の表面に長手方向に沿って取り付けることができる。後述するように、連結体４１４は、保持部４３０の連結支持体４３２に取り付けることができる。
【０２０５】
振動吸収体４１６は、ゴムなどの弾性変形できる樹脂からなる。振動吸収体４１６は、長尺で板状の形状を有する。振動吸収体４１６は、連結体４１４とバスケット１５０の外側の表面との間に挟まれ、バスケット１５０と接触するように設けられる。振動吸収体４１６によって衝撃や固体音をある程度に吸収することで、衝撃や固体音を保持部４３０に伝わりにくくする。
【０２０６】
＜保持部４３０＞
保持部４３０は、主に、連結支持体４３２と弾性保持体４３４とブラケット４４０とを有する。連結支持体４３２と弾性保持体４３４とブラケット４４０とは、把持防振構造体４００がバスケット１５０に取り付けられたときには、バスケット１５０の内側に配置される。
【０２０７】
連結支持体４３２は、長尺な形状を有し、バスケット１５０の内側の表面に長手方向に沿って取り付けることができる。把持部４１０の連結体４１４は、バスケット１５０の外側の表面に長手方向に沿って配置され、連結支持体４３２は、バスケット１５０の内側の表面に長手方向に沿って配置される。連結体４１４と連結支持体４３２とは、スリット１５８を介して向かい合うように配置される。連結体４１４には、複数の開口（図示せず）が形成され、連結支持体４３２には、連結体４１４の開口に対応する複数のねじ穴（図示せず）が形成されている。連結体４１４の開口を介して連結支持体４３２のねじ穴にねじ（図示せず）を螺合することによって、保持部４３０を把持部４１０に着脱可能に取り付けることができ、把持防振構造体４００をバスケット１５０に着脱可能に設けることができる。
【０２０８】
弾性保持体４３４は、連結支持体４３２に取り付けられる。弾性保持体４３４は、内側の円弧体４３６と外側の円弧体４３８とを有する。内側の円弧体４３６の半径は外側の円弧体４３８の半径を小さく、弾性保持体４３４は、内側の円弧体４３６と外側の円弧体４３８とが連結された形状を有する。外側の円弧体４３８は連結支持体４３２に取り付けられる。内側の円弧体４３６は後述するブラケット４４０に取り付けられる。
【０２０９】
内側の円弧体４３６及び外側の円弧体４３８は、ともに弾性変形可能な樹脂によって形成されている。内側の円弧体４３６及び外側の円弧体４３８の弾性変形によって外部からの衝撃や固体音を吸収し、衝撃や固体音がガンマイク３００に伝わらないようにして、雑音として収音されないようにできる。弾性保持体４３４の機能については後述する。
【０２１０】
内側の円弧体４３６には、ブラケット４４０が取り付けられている。ブラケット４４０は、長尺な形状を有し、側面にスリットが形成された略円筒状の形状を有する。
【０２１１】
ブラケット４４０の内側に第１の音響透過体１１０が取り付けられ、ブラケット４４０の外側に第２の音響透過体１２０が取り付けられる。ブラケット４４０に第１の音響透過体１１０及び第２の音響透過体１２０を取り付けて形成することで、第１の音響透過体１１０及び第２の音響透過体１２０を一定の形状にして維持することができる。
【０２１２】
また、ブラケット４４０を挟んで第１の音響透過体１１０と第２の音響透過体１２０とを取り付けることで、第１の音響透過体１１０と第２の音響透過体１２０との間に第１の空間ＳＰ１を安定的に形成でき、第１の空間ＳＰ１の体積を一定に維持することができる。
【０２１３】
上述したように、第１の音響透過体１１０は、細長い略円筒状の形状を有する。第１の音響透過体１１０の外側の長手方向に沿った複数の箇所にリング４５０が設けられている。リング４５０によって第１の音響透過体１１０が狭まるように変形することを防止できる。また、リング４５０の内側に接着剤を塗布することで、第１の音響透過体１１０が長手方向にずれることを防止できる。複数のリング４５０を設けることで、第１の音響透過体１１０の形状を一定に維持しつつガンマイク３００を安定的に保持するとともに容易に脱着することができる。なお、第１の音響透過体１１０の内側に別のリング（図示せず）を設けて第１の音響透過体１１０を支持するようにすることで、リング４５０の内側に接着剤を塗布することなく、第１の音響透過体１１０が狭くなる変形を防止することもできる。
【０２１４】
また、リング４５０には開口（図示せず）が形成されており、開口を介して透音させることができる。上述したように、第１の音響透過体１１０の内側にはガンマイク３００が配置される。開口が形成されたリング４５０を用いることで、第１の音響透過体１１０の透音特性を維持することができる。
【０２１５】
＜ガンマイク用風防１００に加えられる衝撃＞
上述したように、弾性保持体４３４には内側の円弧体４３６及び外側の円弧体４３８が設けられている。内側の円弧体４３６及び外側の円弧体４３８は、加えられた力に応じて弾性変形する。グリップ４１２は操作者によって把持され、ガンマイク３００の向きを変えたり持ち替えたりすることで、グリップ４１２に衝撃が加えられる場合がある。また、風によって発生し振動として固体を伝播する固体音は、風雑音として収音される。
【０２１６】
ガンマイク用風防１００は、振動吸収体４１６及び弾性保持体４３４を有し、衝撃や固体音は、振動吸収体４１６及び弾性保持体４３４によって減衰され、ガンマイク３００に伝わらないようにできる。以下で、振動吸収体４１６及び弾性保持体４３４の機能について説明する。
【０２１７】
＜振動吸収体４１６の機能＞
振動吸収体４１６は、ゴムなどの樹脂からなり弾性変形する。振動吸収体４１６は、連結体４１４とバスケット１５０の外側の表面との間に挟まれ、バスケット１５０と接触するように設けられる。グリップ４１２に加えられた衝撃や固体音は、振動吸収体４１６が繰り返し弾性変形することで減衰され振動吸収体４１６に徐々に吸収される。衝撃や固体音が振動吸収体４１６に吸収されることで、衝撃や固体音を保持部４３０に伝わりにくくできる。
【０２１８】
＜弾性保持体４３４の機能＞
弾性保持体４３４には内側の円弧体４３６及び外側の円弧体４３８が設けられている。内側の円弧体４３６及び外側の円弧体４３８は、加えられた力に応じて弾性変形する。グリップ４１２は操作者によって把持され、ガンマイク３００の向きを変えたり持ち替えたりすることで、グリップ４１２に衝撃が加えられる場合がある。また、固体音が加えられる場合もある。
【０２１９】
内側の円弧体４３６及び外側の円弧体４３８は、樹脂からなり、弾性変形できる。連結支持体４３２を介して伝わってきた衝撃や固体音は、まず外側の円弧体４３８に伝わる。外側の円弧体４３８は、衝撃によって弾性変形し徐々に衝撃は減衰する。外側の円弧体４３８から内側の円弧体４３６に衝撃が伝わった場合でも、同様に、内側の円弧体４３６は、衝撃によって弾性変形をしつつ徐々に衝撃は減衰する。衝撃が連結支持体４３２を介して弾性保持体４３４に伝わった場合であっても、内側の円弧体４３６及び外側の円弧体４３８によって衝撃をブラケット４４０に伝えないようにでき、雑音としてガンマイクに収音されないようにできる。また、固体音も、外側の円弧体４３８や内側の円弧体４３６を振動として伝わっていく過程で、振動エネルギーが徐々に吸収されて減衰していく。
【０２２０】
＜＜＜＜第２の実施の形態＞＞＞＞
第１の実施の形態によるガンマイク用風防１００では、第２の空間ＳＰ２０に弾性発泡体１４０を設けた構成とした。これに対して、第２の空間ＳＰ２０に弾性発泡体１４０を設けない構成としてよい。
【０２２１】
＜＜＜ガンマイク用風防２００＞＞＞
図７、図８及び図９に示すように、第２の実施の形態によるガンマイク用風防２００では、第１の空間ＳＰ１０及び第２の空間ＳＰ２０の双方に弾性発泡体１４０を設けない構成である。第２の実施の形態によるガンマイク用風防２００の構成と、第１の実施の形態によるガンマイク用風防１００の構成との違いは、弾性発泡体１４０の有無である。すなわち、第１の音響透過体１１０、第２の音響透過体１２０、第３の音響透過体１３０及びバスケット１５０は、同様の形状、材質、機能を有するとともに同様に配置され、第１の実施の形態と同じ符号を付した。
【０２２２】
また、第１の実施の形態によるガンマイク用風防１００と同様に、第１の音響透過体１１０と第２の音響透過体１２０とに挟まれた領域に、第１の空間ＳＰ１０が画定される。第２の音響透過体１２０と第３の音響透過体１３０とに挟まれた領域に、第２の空間ＳＰ２０が画定される。
【０２２３】
なお、第１の音響透過体１１０と第２の音響透過体１２０との間隔ＤＴ１０、及び第２の音響透過体１２０と第３の音響透過体１３０との間隔ＤＴ２０は、弾性発泡体１４０の有無に応じて適宜に定めることができる。
【０２２４】
また、第２の実施の形態によるガンマイク用風防２００においても、第１の実施の形態によるガンマイク用風防１００と同様に、第１の空間ＳＰ１０に入り込んだ空気は、長手方向に沿って移動する成分ＬＰ１０（図６Ａ及び図１０参照）と、周方向に沿って移動する成分ＡＰ１０（図６Ｂ及び図１０参照）とを有し、第２の空間ＳＰ２０に入り込んだ空気は、長手方向に沿って移動する成分ＬＰ２０（図６Ａ及び図１０参照）と、周方向に沿って移動する成分ＡＰ２０（図６Ｂ及び図１０参照）とを有する。
【０２２５】
第１の空間ＳＰ１０の間隔及び第２の空間ＳＰ２０の間隔を適切に定めることで、長手方向に沿って移動する成分ＬＰ１０と、周方向に沿って移動する成分ＡＰ１０と、長手方向に沿って移動する成分ＬＰ２０と、周方向に沿って移動する成分ＡＰ２０とを生じさせることで、ガンマイク３００に空気が入り込みにくくし、風切音を的確に遮断することができる。
【０２２６】
＜＜＜変形例＞＞＞
第１の実施の形態では、第２の空間ＳＰ２０のみに弾性発泡体１４０を設け、第１の空間ＳＰ１０には弾性発泡体１４０を設けない構成とした。第２の実施の形態では、第１の空間ＳＰ１０及び第２の空間ＳＰ２０の双方に弾性発泡体１４０を設けない構成とした。
【０２２７】
このほかに、第１の空間ＳＰ１０のみに弾性発泡体１４０を設け、第２の空間ＳＰ２０には弾性発泡体１４０を設けない構成としたり、第１の空間ＳＰ１０及び第２の空間ＳＰ２０の双方に弾性発泡体１４０を設ける構成としたりすることができる。
【０２２８】
いずれの場合も、弾性発泡体１４０の有無に応じて、第１の空間ＳＰ１０の間隔及び第２の空間ＳＰ２０の間隔を適宜に定めることで、長手方向に沿って移動する成分ＬＰ１０と、周方向に沿って移動する成分ＡＰ１０と、長手方向に沿って移動する成分ＬＰ２０と、周方向に沿って移動する成分ＡＰ２０とを生じさせることで、ガンマイク３００に空気が入り込みにくくし、風切音を的確に遮断することができる。
【符号の説明】
【０２２９】
１００  ガンマイク用風防
１１０  第１の音響透過体
１２０  第２の音響透過体
１３０  第３の音響透過体
１４０  弾性発泡体
１５０  バスケット
３００  ガンマイク
ＳＰ１０  第１の空間
ＳＰ２０  第２の空間
【図１】
0006651396.tif 000002
【図２】
0006651396.tif 000003
【図３】
0006651396.tif 000004
【図４】
0006651396.tif 000005
【図５】
0006651396.tif 000006
【図６】
0006651396.tif 000007
【図７】
0006651396.tif 000008
【図８】
0006651396.tif 000009
【図９】
0006651396.tif 000010
【図１０】
0006651396.tif 000011
【図１１】
0006651396.tif 000012
【図１２】
0006651396.tif 000013
【図１３】
0006651396.tif 000014
【図１４】
0006651396.tif 000015
【図１５】
0006651396.tif 000016
【図１６】
0006651396.tif 000017
【図１７】
0006651396.tif 000018